(57)【要約】【課題】防水性能を向上させることのできるエレベータ乗り場押し釦を提供すること。【解決手段】実施形態によれば、エレベータ乗り場押し釦２０は、表面板２１と、表面板保持部２６と、近接スイッチ２８と、検出基板３０と、を備える。表面板２１は、エレベータの乗り場１に配設され、エレベータの利用者が押圧することにより入力操作を行うものである。表面板保持部２６は、少なくとも表面板２１における押圧面２２の反対側の面を覆い、表面板２１を入力操作によって動作可能に保持するものである。近接スイッチ２８は、表面板保持部２６に内設され、表面板２１の動作を非接触で検出するものである。検出基板３０は、乗り場１の壁５の表面６と表面板保持部２６とに対してゴムパッキン３５で遮蔽して壁５内に配設され、近接スイッチ２８での検出結果を取得すると共に検出結果に基づいて入力操作情報を出力するものである。【選択図】図２
2015048244.tif 000002
【特許請求の範囲】
【請求項１】
エレベータの乗り場に配設され、前記エレベータの利用者が押圧することにより入力操作を行う表面板と、
少なくとも前記表面板における押圧面の反対側の面を覆い、前記表面板を前記入力操作によって動作可能に保持する表面板保持部と、
前記表面板保持部に内設され、前記表面板の動作を非接触で検出する非接触検出部と、
前記乗り場の壁の表面と前記表面板保持部とに対して防水部材で遮蔽して前記壁内に配設され、前記非接触検出部での検出結果を取得すると共に前記検出結果に基づいて入力操作情報を出力する検出基板と、
を備えることを特徴とするエレベータ乗り場押し釦。
【発明の詳細な説明】
【技術分野】
【０００１】
本発明の実施形態は、エレベータ乗り場押し釦に関する。
【背景技術】
【０００２】
エレベータは、建物の複数階床間を移動する昇降機であるため、エレベータの乗りかごに乗降するために各階床に設置される乗り場は、一般的に屋内に設置される。この乗り場には、乗りかごを呼ぶための押し釦や、乗りかごの運転方向や乗りかごが位置する階床を表示するインジケータ等の乗り場機器が設置されており、利用者は、この乗り場機器を操作することにより、乗りかごに乗って目的階に移動することができる。
【０００３】
ここで、乗り場の中には、駅や公園等の野外施設や、マンションの１階等、風雨に曝される場所に設置されていたり、乗り場の近傍に窓が設置されることにより、窓が開けっ放しの際に風雨に曝されたりするものがある。このような乗り場では、当該乗り場に設置される乗り場機器も風雨に曝されることになるが、乗り場機器は電気部品が多用されているため、乗り場機器が水に濡れて乗り場機器の内部に水が浸入した場合、ショート等の不具合を引き起こす虞がある。このため、従来の乗り場機器の中には、表面を防滴カバーや透明フィルムで覆うことにより、乗り場機器の防水を行っているものがある。
【先行技術文献】
【特許文献】
【０００４】
【特許文献１】特開２０１０−２３９３６号公報
【発明の概要】
【発明が解決しようとする課題】
【０００５】
しかしながら、乗り場機器をカバー類で覆っても、雨が降りながら強い風が吹く場合等には、カバー類の隙間から水が浸入する虞がある。ここで、乗り場機器が有する乗り場押し釦は、エレベータの利用者が指で押すことにより動作をする表面板の動作を検出することにより、利用者の入力操作を検出することができるように構成されている。このため乗り場押し釦は、利用者の入力操作によって動作する表面板の動きを検出して電気信号に変換する基板を内設している。
【０００６】
一方、乗り場押し釦の表面板は、利用者の入力操作によって動作するため、壁面側の部分との間に隙間が形成されており、この隙間から水が浸入し易くなっている。乗り場押し釦内に水が浸入した場合、内部の基板にショート等の不具合を引き起こす虞があるため、乗り場押し釦は、乗り場機器が有する他の機器よりも水に対して弱くなっており、防水性能に対して改善の余地があった。
【０００７】
本発明は、上記に鑑みてなされたものであって、防水性能を向上させることのできるエレベータ乗り場押し釦を提供することを目的とする。
【課題を解決するための手段】
【０００８】
実施形態に係るエレベータ乗り場押し釦は、表面板と、表面板保持部と、非接触検出部と、検出基板と、を備える。表面板は、エレベータの乗り場に配設され、エレベータの利用者が押圧することにより入力操作を行うものである。表面板保持部は、少なくとも表面板における押圧面の反対側の面を覆い、表面板を入力操作によって動作可能に保持するものである。非接触検出部は、表面板保持部に内設され、表面板の動作を非接触で検出するものである。検出基板は、乗り場の壁の表面と表面板保持部とに対して防水部材で遮蔽して壁内に配設され、非接触検出部での検出結果を取得すると共に検出結果に基づいて入力操作情報を出力するものである。
【図面の簡単な説明】
【０００９】
【図１】図１は、実施形態に係る押し釦を備えるエレベータの乗り場の概略図である。
【図２】図２は、図１のＡ−Ａ断面図である。
【図３】図３は、図２のＢ−Ｂ矢視図である。
【図４】図４は、実施形態に係る押し釦の操作時における動作の流れを示すフロー図である。
【発明を実施するための形態】
【００１０】
以下に、本発明に係るエレベータ乗り場押し釦の実施形態を図面に基づいて詳細に説明する。なお、この実施形態によりこの発明が限定されるものではない。また、下記実施形態における構成要素には、当業者が置換可能、且つ、容易なもの、或いは実質的に同一のものが含まれる。
【００１１】
〔実施形態〕
図１は、実施形態に係る押し釦を備えるエレベータの乗り場の概略図である。同図に示す乗り場１は、エレベータの利用者がエレベータの乗りかご（図示省略）に乗降する際に利用する、エレベータ用の乗り場１になっている。この乗り場１には、乗りかごへの乗降時に開閉する乗り場ドア１０が設置されている。乗り場ドア１０が設置される壁５には、乗り場ドア１０の側方に、乗り場１に乗りかごを呼び出す操作等のエレベータの運転操作を行う乗り場操作盤１５が配設されている。
【００１２】
この乗り場操作盤１５には、乗り場１でエレベータを操作するための乗り場機器として、表示部１６と押し釦２０とが設けられている。このうち、表示部１６は、乗りかごが現在位置する階床等の情報を表示することが可能になっている。また、押し釦２０は、エレベータの利用者が入力操作を行うことにより、エレベータを利用して移動する方向を選択して登録することが可能になっている。この押し釦２０は、利用者が上階に移動する際に入力操作を行う上階移動用の押し釦２０と、下階に移動する際に入力操作を行う下階移動用の押し釦２０と、が設けられている。
【００１３】
また、このように乗り場１は、乗り場ドア１０や乗り場操作盤１５が設置される壁５に対して約９０°異なる向きでこの壁５の側端に接続され、乗り場ドア１０等が設置される壁５と共に乗り場１を構成する側壁７に、側壁７を貫通する開放部８が形成されている。側壁７は、エレベータが設置される建物の内側と外側とを隔離するように設けられており、乗り場１は、側壁７に形成される開放部８によって、建物の外側に対して連通し、建物の外側に対して開放されている。この開放部８は、例えば恒久的に開放される孔によって形成されていてもよく、または、開閉扉（図示省略）を有することにより開閉可能な窓によって形成されていてもよい。
【００１４】
図２は、図１のＡ−Ａ断面図である。図３は、図２のＢ−Ｂ矢視図である。押し釦２０は、エレベータの利用者が押圧することにより入力操作を行う表面板２１を有しており、表面板２１は、表面板保持部２６により、利用者の入力操作によって動作可能に保持されている。詳しくは、表面板２１は、略板状の形状で形成されており、壁５の表面６に略平行になる向きで配設されている。なお、本実施形態における壁５の表面６とは、乗り場ドア１０や乗り場操作盤１５の周囲の壁５の表面６のみでなく、乗り場操作盤１５の表面パネルの表面６も含んでいる。表面板保持部２６は、表面板２１の外周の形状とほぼ同じ形状で、表面板２１の外周の形状よりも若干大きい形状で壁５の表面６側に開口する孔によって形成されている。
【００１５】
表面板２１は、利用者が押圧することにより入力操作を行う面である押圧面２２が壁５の表面６と同じ向きになり、押圧面２２の反対側の面である検出面２３が表面板保持部２６側に位置する向きで、検出面２３側が表面板保持部２６内に入り込んでいる。即ち、表面板２１は、検出面２３から、厚さ方向における所定の位置までが、表面板保持部２６の開口部分から表面板保持部２６内に入り込むことにより、表面板保持部２６に保持されている。これにより、表面板２１は、表面板保持部２６の深さ方向に移動可能に、表面板保持部２６に保持されている。
【００１６】
また、表面板２１は、表面板保持部２６の底面２７から離間する方向に、スプリング等の付勢手段（図示省略）によって付勢力が付与されている。さらに、表面板２１は、表面板保持部２６の深さ方向における移動範囲が、所定の範囲内に収まるように、移動規制手段（図示省略）によって移動範囲が規制されている。
【００１７】
表面板保持部２６には、表面板２１の動作を非接触で検出する非接触検出部である近接スイッチ２８が内設されている。この近接スイッチ２８は、誘電型の近接スイッチ２８や静電容量型の近接スイッチ２８、磁気式の近接スイッチ２８等、公知の近接スイッチ２８が用いられ、検出面が表面板２１の方向に向く向きで、表面板保持部２６の底面２７に配設されている。
【００１８】
一方、表面板２１には、近接スイッチ２８に接近したことを、近接スイッチ２８によって非接触で検出することができる検出部材２４が、検出面２３に設けられている。移動規制手段によって移動範囲が規制されている表面板２１は、表面板保持部２６の底面２７に最も近付いた状態でも検出部材２４が近接スイッチ２８に接触しないように設けられている。また、検出部材２４と近接スイッチ２８とは、このように表面板２１が表面板保持部２６の底面２７に最も近付いた状態で、検出部材２４を近接スイッチ２８によって検出することができる位置関係で配設されている。
【００１９】
この近接スイッチ２８は、表面板保持部２６の外部に配設され、近接スイッチ２８での検出結果を取得する検出基板３０に接続されている。具体的には、近接スイッチ２８は、近接スイッチ２８と検出基板３０とを電気的に接続し、近接スイッチ２８での検出結果の電気信号を検出基板３０に伝達するリード線３１によって、検出基板３０に接続されている。また、検出基板３０は、エレベータの各部を制御する主制御盤４０に電気的に接続されており、近接スイッチ２８での検出結果に基づいて、押し釦２０に対する入力操作情報を主制御盤４０に出力可能になっている。
【００２０】
この検出基板３０は、壁５の表面６と表面板保持部２６とに対して、防水部材であるゴムパッキン３５で遮蔽して壁５内に配設されている。詳しくは、検出基板３０は、表面板保持部２６が形成される壁５と同じ壁５内において、表面板保持部２６よりも壁５の表面６から離れた位置に配設されている。
【００２１】
ゴムパッキン３５は、検出基板３０に対して、壁５の表面６や表面板保持部２６が位置する側にシート状の形状で配設されており、即ち、ゴムパッキン３５は、壁５の表面６と検出基板３０との間、及び表面板保持部２６と検出基板３０との間に配設されている。その際に、近接スイッチ２８と検出基板３０とを接続するリード線３１は、貫通部分に別の防水部材が設けられたり、またはシール剤が用いられたりすることによって貫通部分に防水処理が施された状態で、ゴムパッキン３５を貫通している。
【００２２】
乗り場操作盤１５に設けられる上階移動用の押し釦２０と下階移動用の押し釦２０とは、共にこれらのように構成されている。即ち、２つの押し釦２０は、共に表面板２１が動作可能に表面板保持部２６に保持され、表面板保持部２６には近接スイッチ２８が内設されている。２つの近接スイッチ２８は、共にリード線３１によって１つの検出基板３０に接続されており、それぞれ表面板２１の動作を非接触で検出して、検出結果を検出基板３０に伝達することが可能になっている。検出基板３０は、２つの近接スイッチ２８での検出結果に入力操作情報を、主制御盤４０に出力可能になっている。
【００２３】
なお、検出基板３０は、上階移動用の押し釦２０と下階移動用の押し釦２０とで１つの検出基板３０を共用するのではなく、それぞれの押し釦２０用に、別々の検出基板３０が独立して設けられていてもよい。
【００２４】
本実施形態に係るエレベータの乗り場１の押し釦２０は、以上のごとき構成からなり、以下、その作用について説明する。図４は、実施形態に係る押し釦の操作時における動作の流れを示すフロー図である。本実施形態に係る押し釦２０を備えるエレベータによって、利用者が任意の階床に移動する際には、まず利用者が、乗り場１で押し釦２０を押す（ステップＳＴ１１）。即ち、利用者が乗り場１で、乗り場操作盤１５に設けられている押し釦２０のうち、移動したい方向を指示する押し釦２０の表面板２１を押すことにより、入力操作を行う。
【００２５】
これにより、表面板２１が近接スイッチ２８に近付き、近接スイッチ２８が呼びを検出する（ステップＳＴ１２）。詳しくは、表面板２１は、表面板保持部２６の深さ方向に移動可能に表面板保持部２６に保持されているため、押圧面２２側から表面板２１を押した場合、表面板２１は、近接スイッチ２８に近付く方向に移動する。これにより、表面板２１の検出面２３側に設けられている検出部材２４が近接スイッチ２８に近付き、近接スイッチ２８からの検出部材２４の距離が、近接スイッチ２８で検出可能になった時点で、近接スイッチ２８は、検出部材２４の接近を検出する。これにより、近接スイッチ２８は、利用者が押し釦２０の表面板２１を押すことによって、利用者がいる乗り場１にエレベータの乗りかごを呼ぶ入力操作である「呼び」操作を行ったことを検出する。
【００２６】
次に、近接スイッチ２８の検出を主制御盤４０で登録する（ステップＳＴ１３）。詳しくは、近接スイッチ２８の検出結果は、検出基板３０に伝達されて検出基板３０で取得し、検出基板３０は、取得した検出結果に基づいて、押し釦２０への入力操作情報を、主制御盤４０に出力する。即ち、検出基板３０は、近接スイッチ２８での検出結果に基づいて、押し釦２０に対する利用者の呼び操作の情報を電気信号として主制御盤４０に出力する。検出基板３０から呼び操作の情報を受けた主制御盤４０は、この情報に基づいて、エレベータを作動させる際の基準となる呼び登録を行う。
【００２７】
呼び登録を行ったら、エレベータを起動する（ステップＳＴ１４）。つまり、呼び登録に基づいて、主制御盤４０でエレベータの巻上機（図示省略）を作動させ、押し釦２０に対して入力操作を行った乗り場１の階床まで、乗りかごを移動させる。利用者は、乗りかごの到着後に乗りかごに乗り込み、任意の階床に移動する。
【００２８】
ここで、乗り場１の側壁７には開放部８が形成されているため、雨天時には、開放部８から乗り場１内に雨が吹き込むことがあり、この雨によって乗り場操作盤１５が濡れることがある。乗り場操作盤１５が濡れると、押し釦２０もこの水によって濡れることがあるが、押し釦２０は、表面板２１が表面板保持部２６の深さ方向に移動可能になっているため、表面板２１の外周と表面板保持部２６との間には、隙間が形成されている。このため、押し釦２０に付着した水は、この隙間から表面板保持部２６内に浸入することがある。
【００２９】
しかし、検出基板３０は表面板保持部２６内には配設されておらず、表面板保持部２６の外に設けられているため、表面板保持部２６内に水が入り込んでも、検出基板３０は、この水によって濡れないようになっている。このため、検出基板３０は、表面板保持部２６内に入り込んだ水によってショート等の不具合が発生しないようになっている。
【００３０】
さらに、検出基板３０は、壁５の表面６と検出基板３０との間や表面板保持部２６と検出基板３０との間に配設されるゴムパッキン３５により、壁５の表面６と表面板保持部２６とに対して遮蔽して壁５内に配設されている。このため、表面板保持部２６内に水が入り込んだり、乗り場操作盤１５を含む壁５の表面６が水に濡れたりした際に、この水が壁５の内部に入り込んだ場合でも、この水はゴムパッキン３５によって遮られ、検出基板３０に対しては流れないようになっている。これにより、検出基板３０は、壁５の表面６や表面板保持部２６から壁５の内側に入り込んだ水は、検出基板３０に付着することがなく、検出基板３０は、この水に起因する不具合が発生しないようになっている。
【００３１】
また、表面板保持部２６内に水が入り込んだ場合、表面板保持部２６内の近接スイッチ２８や、近接スイッチ２８で検出をする検出部材２４は、水に濡れることがあるが、近接スイッチ２８は、非接触で検出部材２４を検出可能になっている。このため、近接スイッチ２８は、水の付着に影響されることなく、検出部材２４の接近時は検出部材２４を検出することができ、押し釦２０への入力操作を検出することができる。これらのように、本実施形態に係る押し釦２０は、雨天等によって水に曝されても、利用者の呼び操作の検出性能を確保し、呼び操作に応じてエレベータを運転させることが可能になっている。
【００３２】
以上の実施形態に係るエレベータの乗り場１の押し釦２０は、表面板２１の動作は、表面板保持部２６に内設される近接スイッチ２８によって非接触で検出し、近接スイッチ２８での検出結果を取得する検出基板３０は、表面板保持部２６の外部に配設されている。このため、押し釦２０が水に濡れて表面板保持部２６内に水が浸入した場合でも、検出基板３０が濡れることを防ぐことができ、また、表面板２１の動作は非接触で検出することにより、この動作の検出性能を確保することができる。この結果、防水性能を向上させることができる。
【００３３】
また、検出基板３０は、乗り場１の壁５の表面６と表面板保持部２６とに対してゴムパッキン３５で遮蔽して壁５内に配設されているため、壁５内に水が入り込んだ場合でも、この水によって検出基板３０が濡れることを、より確実に防ぐことができる。この結果、より確実に防水性能を向上させることができる。
【００３４】
〔変形例〕
なお、上述した押し釦２０では、近接スイッチ２８の防水性に対しては特に規定していないが、近接スイッチ２８は、防水型の近接スイッチ２８等、防水性能が高いものを用いるのが好ましい。防水性能が高い近接スイッチ２８を用いることにより、表面板保持部２６内に水が入り込んだ場合でも、この水によって近接スイッチ２８が故障することを、より確実に防ぐことができ、防水性能をより確実に向上させることができる。
【００３５】
また、上述した押し釦２０では、検出基板３０の防水を行う防水部材として、シート状のゴムパッキン３５を用いて説明しているが、防水部材は、ゴムパッキン３５以外のものを用いてもよい。例えば防水部材として、防水性の高いシール剤を用いたり、または、検出基板３０をゴム製のカバー等で覆ったりしてもよい。防水部材は、素材や構成に関わらず、乗り場１の壁５の表面６や表面板保持部２６から浸入する水に対して防水性能を有していれば、その形態は問わない。
【００３６】
また、上述した押し釦２０は、エレベータの乗り場１で呼び登録を行うための押し釦２０として設けられているが、押し釦２０は、呼び登録用以外のものであってもよい。その用途に関わらず、雨に濡れる可能性がある乗り場１に設けられる押し釦２０を上述した構成にすることにより、防水性能を向上させることができる。
【００３７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３８】
１  乗り場
５  壁
６  表面
７  側壁
８  開放部
１０  乗り場ドア
１５  乗り場操作盤
１６  表示部
２０  押し釦
２１  表面板
２２  押圧面
２３  検出面
２４  検出部材
２６  表面板保持部
２７  底面
２８  近接スイッチ（非接触検出部）
３０  検出基板
３１  リード線
３５  ゴムパッキン（防水部材）
４０  主制御盤
【図１】
2015048244.tif 000003
【図２】
2015048244.tif 000004
【図３】
2015048244.tif 000005
【図４】
2015048244.tif 000006
【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
エレベータの乗り場に配設され、前記エレベータの利用者が押圧することにより入力操作を行う表面板と、
少なくとも前記表面板における押圧面の反対側の面を覆い、前記表面板を前記入力操作によって動作可能に保持する表面板保持部と、
前記表面板保持部に内設され、前記表面板の動作を非接触で検出する非接触検出部と、
前記乗り場の壁の表面と前記表面板保持部とに対して防水部材で遮蔽して、前記表面板保持部よりも前記壁の表面から離れた位置で前記壁内に配設され、前記非接触検出部での検出結果を取得すると共に前記検出結果に基づいて入力操作情報を出力する検出基板と、
前記非接触検出部と前記検出基板とを接続するリード線と、
を備え、
前記防水部材は、前記表面板保持部と前記検出基板との間に配設されており、
前記リード線は、貫通部分に防水処理が施された状態で前記防水部材を貫通していることを特徴とするエレベータ乗り場押し釦。